(57)【要約】      （修正有）【課題】より高い精度でアンカーボルトを埋設できるボルト固定具を提供する。【解決手段】ボルト固定具本体には、上面に隙間を持つ板が設けてあり、本体右側面とする前部には上部に溝を持つ落し込みが数個もうけられており、対側面は開口されている、また上下前面にあたる板には奥を狭くした切り込みが同形で垂直にもうけられており、その狭くした切り込みの直後には、前記開口から切り込みまで上下の板の中間に横の構をもつ内壁がもうけてあり、また後部には上下の上半分の壁をもうけその中間の下部に小穴をもうけ、バネの一方をその小穴に取付けられ、また金属棒の一方にはボルトの背後より締め付けやすく変形をさせ、のこる一方に戻り止めをもうけ、前記内壁の溝を通し、前記バネの残りの一方と連結させる。【選択図】図３
0003145568.tif 000002
【実用新案登録請求の範囲】
【請求項１】
上面中間に、約５ｍｍの隙間をもち、金属板、セパに差し込むことで安定と細かい移動ができる差し込み板を、そなえている、ボルト固定具。
【請求項２】
１２ｍｍ、１６ｍｍと、太さの異なるボルトの中間を、垂直に押しあてることのできる、中をせまく変形させた切り込みと、内部前方に、金属棒が横移動できる、約４ｍｍ巾の溝と、手前側、側面の前方に、金属棒をしぼり込む、約４個の受穴をもつ溝をそなえている、ボルト固定具。
【請求項３】
約２．５ｍｍの金属棒を、引きしろ、もどり止メ、ボルト圧し部、指穴等の形に、変形加工させ、後部に、バネをそなえているボルト固定具。
【考案の詳細な説明】
【技術分野】
【０００１】コンクリート基礎、埋込みボルトの固定に関する。
【背景技術】
【０００２】従来の固定具は、１２ｍｍ専用で、移動巾も１２ｍと大きく、鉄筋に密着させることは困難であり、固定具の高さも３０ｍｍと高く、１０ｍｍしか出ないボルトは固定できない、１６ｍｍ専用固定具も同様である。また針金等で、鉄筋にボルトを、おさえ込む物も有るが、いずれも、油を塗った型枠と鉄筋の巾約５０ｍｍ、深さ１００ｍｍ〜３００ｍｍの中での作業となり、コンクリート打設時の流れに、変曲脱落が多く、後の直しが困難であり、コンクリートは、静止状態になると、硬化が始まるため、後にボルトを動かすことは、強度問題もあり、いすれも困難である。
【考案の開示】
【考案が解決しようとする課題】
【０００３】しかし、これでは、時間と手間が、かかりすぎ、品質の管理もおこたり、大変な問題である。
【課題を解決するための手段】
【０００４】そこで、太さの異なるボルトを、垂直に押し込める、中の狭い切り込みと、内部前方に、金属棒が、横移動できる溝と手前側、側面前方に、約４個の受穴をもつ溝、止メ金をもうけ、ボルトを引締める金属棒を、後部に取り付けたバネに連結させた、ボルト固定具を考案した（図１）。このボルト固定具により、複数の固定具等を使用せず、一度で固定でき、困難である課題が解決されるのである。
【考案の効果】よって、本考案のボルト固定具により、困難な課題を解決し、何度も、くりかえし使え、作業員のいらだちをも解消できた、ボルト固定具である。
【考案を実施するための最良の形態】
【０００６】本考案に係るボルト固定具１３は、図１〜図３に示すように１２ｍｍ、１６ｍｍと、太さの異なるボルト１２、１２ｍｍが中、１６ｍｍを外に、垂直に、ボルトの中間を、押しあてることのできる、中の狭い切り込み２を、上下の板にもうけ、図３指穴８、ボルト圧し部７、もどり止メ６、引しろ４等を、溝５に通し、ボルト固定具の後部に取付けたバネ３と連結させ、中の狭い切り込み２に、押しあてたボルト１２の前に、指穴８を引きながら、手前に回転させることで、溝５により、引しろ４が、ボルトの側面に移動し、ボルト圧し部７が、ボルトにかかり、約４個の受け穴をもつ溝止メ金図２−９にしぼり込み、上部面に約５ｍｍの隙間をもつ、さし込み板１を、型枠の巾固定具セパ１１の下に差し込んで、型枠上約１０ｍｍしか出ないボルトも固定でき、移動させることができるのである。
なを、バネ３等の取付用開口図２−１０がもうけてある。ボルト固定具１３の大きさは、ボルト埋込み間隔約１０ｃｍ巾がある為、長さ約９ｃｍ、巾は約４ｃｍ、高さ約２．５ｃｍ、厚さ約２ｍｍで、素材は、金属で、半鋼鉄化され、サビ止メ化工されたものが望ましい。
【図面の簡単な説明】
【０００７】
【図１】本考案に係る、ボルト固定具を、セパに差し込み、太さの異なるボルトを固定した状態の、平面図である。
【図２】本考案に係る、ボルト固定具の、止メ金と、バネ等取付け用開口を表した、側面図である。
【図３】本考案に係る、ボルト固定具の、バネ、変形加工させた、金属棒横移動のできる溝を表した、断面図である。
【符号の説明】
【０００８】  １  差し込み板
２  中の狭い切り込み
３  バネ
４  引しろ
５  溝
６  もどり止メ
７  ボルト圧し部
８  指穴
９  止メ金
１０  開口
１１  セパ
１２  ボルト
１３  ボルト固定具
【図１】
0003145568.tif 000003
【図２】
0003145568.tif 000004
【図３】
0003145568.tif 000005
【手続補正書】
【提出日】平成20年4月14日(2008.4.14)
【手続補正１】
【補正対象書類名】実用新案登録請求の範囲
【補正の内容】
0003145568.tif 000006
0003145568.tif 000007
0003145568.tif 000008
0003145568.tif 000009
0003145568.tif 000010
0003145568.tif 000011
0003145568.tif 000012
0003145568.tif 000013
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
基礎コンクリートにアンカーボルトを垂直に埋設するために使用され、コンクリートを打設する際立設される仮型枠の巾固定部材等に差し込み設置されるボルト固定具において、前記仮型枠巾固定部材等に固定されるボルト固定具本体には、上面に隙間を持つ板が設けてあり、本体右側面とする前部には上部に溝を持つ落し込みが数個もうけられており、対側面は開口されている、また上下前面にあたる板には奥を狭くした切り込みが同形で垂直にもうけられており、その狭くした切り込みの直後には、前記開口から切り込みまで上下の板の中間に横の構をもつ内壁がもうけてあり、また後部には上下の上半分の壁をもうけその中間の下部に小穴をもうけ、バネの一方をその小穴に取付けられ、また金属棒の一方にはボルトの背後より締め付けやすく変形をさせ、のこる一方に戻り止めをもうけ、前記内壁の溝を通し、前記バネの残りの一方と連結させる、で構成されており、前記奥を狭くした切り込みで、太さの異なるアンカーボルトを垂直に押しあて、バネで引く金属棒をボルトの背後で回転させて締め付ける、を特徴とするボルト固定具。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は基礎コンクリートにアンカーボルトを垂直に埋設するために使用されるボルト固定具に関するものである。
【背景技術】
【０００２】今日基礎コンクリートの打設に際してはまず鉄筋が組まれた後仮型枠が立設されその中心に鉄筋が組まれており、その鉄筋に太さの異なるアンカーボルトを密接させて定められた位置に配設され、高さ、垂直等が求められることである、しかし垂直に欠ける鉄筋も多くあり、その鉄筋の上下でアンカーボルトを結束等により固定すると仕上がり面でのずれも大きく後で手直しが必要となる、また仮型枠の上面で中心に強制固定させ、その下に組まれた鉄筋に密接させると前記同様ずれ、曲りが生じる、また後の手直しはボルトをたたいたり、パイプを差し込み垂直になる様何度かくり返す事であり、強度的にもこのましくないことである。
【考案の開示】
【考案が解決しようとする課題】
【０００３】本考案は上記課題を解決するためのものである。その目的はより高い精度でアンカーボルトを埋設出来るボルト固定具を提供することである。
【課題を解決するための手段】
【０００４】上記の課題を解決するために本考案では、コンクリート基礎に太さの異なるアンカーボルトを垂直に埋設するために使用され、仮型枠巾止め具等に差し込む隙間をもつ板をもうけたことで縦横の移動を可能としたことである、また本体の前部にあたる上下の板に奥を狭くした切りこみを同形で垂直にもうけたことで、奥の狭い部分に細いアンカーボルトを押しあてることができ、切り込みの広い前の部分に太いアンカーボルトを押しあてることができることで、太さの異なるアンカーボルトを固定できるを可能とした、そして後部壁の中間にバネの一方を取付け、前記切り込みに押しあてたアンカーボルトの背中を押しやすく変形させた金属棒に戻り止めをもうけ、内壁の溝を通し、前記バネの残る一方に連結させたことで金属棒を回転させることができ、本体側面から、押しあてたアンカーボルトの側面の間を移動する事も可能としたことで、後部のバネの力をより簡単に伸縮させ、前部右側面にもうけた溝の下部に数個のくぼみを持つ、とめ金にしぼりこむことで課題を解決させたボルト固定具。
【考案の効果】
【０００５】本考案の上面に隙間を持つ板を仮型枠巾止め部材等に差し込み本体を取付ける様にしたことで、縦横の移動が正確に、なをかつ敏速に出来る様になったことであり、奥を狭くした切り込みを上下同形で垂直に隙間を持たせてもうけたことで、固定具の種類をかえずに、太さの異なるアンカーボルトを押しあてることが出来る様にしたことである、なをアンカーボルトの背後を押しやすく変形させた金属棒を内壁の溝を通し後部にバネを連結させ必要以上の戻りを止めたことで金属棒に前後の移動が出来、またその金属棒はアンカーボルトの押しあてをさまたげない様左側面に、回転させることで引き出し待機状態にさせることが出来アンカーボルトを押しあてた後その背後に金属棒を引きだし、押しあてたアンカーボルトの側面まで引きながら手前、右側面に回転させ、その右側面にもうけてある数個のくぼみを持つとめ金にしぼり込むことができる様にしたことである。
【考案を実施するための最良の形態】
【０００６】  本考案のボルト固定具を具体化させた実施形態を図面上に基づいて説明する。尚実施の形態において、図１にて上下、左右、前後内をいうものとする。ボルト固定具は鋼製固定見本体図４−１３に上部平面図１−ａに隙間を持つ板図４−１がもうけてあり、仮型枠巾止め部材等に差し込み移動させることができる、また、前部、図１−ｆには上下に間隔を開けた二枚の板に内側を狭くした切り込みがもうけてあり、太さの異なるアンカーボルトを垂直に押しあてることができる、そして、図１−ｅ後部壁のバネ取付け穴を持つ後部壁図４−１４にバネ図４−３の一方を取付け、残る一方に、金属棒図４−４に戻り止め図４−６とボルト圧っし部図４−７の端部に操作部図４−８がもうけてあり、前記金属棒図４−４を、図１−ｇ内壁の溝図４−５に前記戻り止メ図４−６まで差し込み、前記バネ図４−３の残る一方に連結させた事で金属棒を、回転、前後左右に移動させることを加納にしたことで、前記操作部図４−８を左側面、図１−Ｃの前部図１−ｆの外に出し、前記太さの異なるアンカーボルト図４−３を押しあてた後、その背後を、操作部図４−８を太さの異なるアンカーボルト図４−１２の背後に引出し右側面図１−ｄ回転させながら引く事で、ボルト圧っし部図４−７が太さの異なるボルト図４−１２の側面に移動し右側面図１−ｄにもうけた止め金図４−９にしぼりこむ、なを本体図４−１３の前部図１−ｆの右上部板に重いボルト等本体の前さがりを、仮型枠巾止メ部材等を差し込んで補助出来る受け板図４−１８をもうけることが望ましいを特徴とするボルト固定具。
【図面の簡単な説明】
【０００７】
【図１】本体の方向を示す斜視図
【図２】ｅ後部壁の詳細図  ｉ溝を持つ内壁の詳細図
【図３】図１の縦断面図
【図４】ボルトを固定した状態を示す斜視図
【符号の説明】
ａ  上部平面  ｂ  下部平面  ｃ  左側面  ｄ  右側面  ｅ  後部壁  ｆ  前部  ｇ  内壁  １  隙間を持つ板  ２  内側を狭くした切り込み  ３  バネ  ４  金属棒  ５  溝  ６  戻り止め  ７  ボルト圧っし部  ８  操作部  ９  止め金１０  開口部１１  巾止め部材１２  太さの異なるボルト１３  本体１４  バネ取付け穴を持つ後部壁１５  仮型枠１６  横鉄筋１７  縦鉄筋１８  受け板
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003145568.tif 000014
【図２】
0003145568.tif 000015
【図３】
0003145568.tif 000016
【図４】
0003145568.tif 000017